(57)【要約】【課題】従来の回転電機に比べて低振動、低騒音かつ振動特性のばらつきが小さい回転電機を得る。【解決手段】円筒状の外周フレーム４と、外周フレーム４の内径部に、円周方向と交差する方向に分割面１３を有する複数の分割コア１０を円環状に当接保持して構成されるステータコア２とで構成されるステータ１を備えた回転電機において、分割コア１０は、互いに当接する分割面において、ステータ１の軸方向両端側に位置する端部領域１３Ａ，１３Ｃと、端部領域の間に位置する中央部領域１３Ｂとを有し、端部領域１３Ａ，１３Ｃの当接圧力が、中央部領域１３Ｂの当接圧力よりも大きく設定されている。【選択図】図３
2019198164.tif 000002
【特許請求の範囲】
【請求項１】
円筒状の外周フレームと、前記外周フレームの内径部に、円周方向に対し交差する方向に分割面を有する複数の分割コアを円環状に当接保持して構成されるステータコアとで構成されるステータを備えた回転電機において、
前記分割コアは、互いに当接する前記分割面において、前記ステータの軸方向両端側に位置する端部領域と、前記端部領域の間に位置する中央部領域とを有し、前記端部領域の当接圧力が前記中央部領域の当接圧力よりも大きく設定されていることを特徴とする回転電機。
【請求項２】
前記分割コアは、前記分割面における前記端部領域が前記中央部領域よりも隣り合う分割コアの方向にせり出していることを特徴とする請求項１に記載の回転電機。
【請求項３】
前記分割コアは、前記端部領域が軸方向両端側に近い領域ほど隣り合う分割コアの方向へのせり出しが大きいことを特徴とする請求項２に記載の回転電機。
【請求項４】
前記分割コアは、前記中央部領域に対応する部分に互いに嵌合関係にある凹部と凸部を有することを特徴とする請求項１から請求項３のいずれか一項に記載の回転電機。
【請求項５】
前記分割コアは、前記分割面において、前記ステータの軸方向両端側に位置しかつ内径側に位置する内径側領域を有し、前記内径側領域における接触圧力が、他の領域の接触圧力よりも大きく設定されていることを特徴とする請求項１から請求項４のいずれか一項に記載の回転電機。
【請求項６】
前記分割コアは、前記ステータコアと前記外周フレームが当接する当接面において、前記端部領域の径方向当接圧力が、前記中央部領域の径方向当接圧力よりも大きく設定されていることを特徴とする請求項１から請求項５のいずれか一項に記載の回転電機。
【発明の詳細な説明】
【技術分野】
【０００１】
本願は、ステータコアを複数の分割コアで構成されるステータを備えた回転電機に関するものである。
【背景技術】
【０００２】
従来の回転電機では、巻線の容易化、巻線密度の向上のため、周方向に分割された分割コアを円環状に組み合わせ、外周フレームに嵌合するように構成されたステータが広く採用されている。このような構成のステータとして、以下のものが開示されている。
特許文献１では、隣り合う分割コア間の分割面を凹凸形状とし、外周側当接部よりも内周側当接部の当接圧力を大きくする構成が提案されている。
特許文献２では、隣り合う分割コア同士が、当接面の内径部１点で接触させる構成が提案されている。
特許文献１および特許文献２の構成によれば、ステータ変形時に外周フレームおよび分割面の内径側で突っ張るため、ステータ剛性を向上させることができ、低振動・低騒音な回転電機を提供することができる。
【先行技術文献】
【特許文献】
【０００３】
【特許文献１】特開２００７-１２９８３５号公報
【特許文献２】特開２００６-１２１８１８号公報
【発明の概要】
【発明が解決しようとする課題】
【０００４】
しかしながら、特許文献１，２のいずれの構成も、コアが径方向に振動する振動形状については剛性を向上させる効果があるが、その他の方向の振動形状に対しては剛性を向上させる効果がない。
回転電機のロータにスキューまたはオーバーハングを施している場合、または製造誤差によってロータとステータの間隔が軸方向に傾斜を有する場合においては、加振力分布が軸方向に一様でないことによってステータが径方向に振動する振動モードよりもむしろステータが軸方向に曲げ変形する振動モードが発生する。
また、分割コア同士の分割面において当たる箇所およびその圧力はステータの剛性を左右するものであり、当接具合によっては回転電機の振動騒音が大きくなるという問題がある。
さらに、分割具合を故意に調整しない場合、分割コア同士の分割面においてどの位置が当たりどの位置で圧力が高くなるかは分割コアの公差ばらつきに依存するため、個体間で振動特性のばらつきが生じるという問題点もある。
【０００５】
本願は、上記のような課題を解決するための技術を開示するものであり、従来の回転電機に比べて低振動、低騒音かつ振動特性のばらつきが小さい回転電機を得ることを目的としている。
【課題を解決するための手段】
【０００６】
本願に開示される回転電機は、円筒状の外周フレームと、前記外周フレームの内径部に、円周方向に対し交差する方向に分割面を有する複数の分割コアを円環状に当接保持して構成されるステータコアとで構成されるステータを備えた回転電機において、前記分割コアは、互いに当接する前記分割面において、前記ステータの軸方向両端側に位置する端部領域と、前記端部領域の間に位置する中央部領域とを有し、前記端部領域の当接圧力が前記中央部領域の当接圧力よりも大きく設定されている。
【発明の効果】
【０００７】
本願に開示される回転電機によれば、分割コアで構成されるステータコアを用いても軸方向曲げに起因する回転電機の振動騒音およびその個体差を従来と比べて抑えることができる回転電機を得ることができる。
【図面の簡単な説明】
【０００８】
【図１】実施の形態１による回転電機の構成を模式的に示した軸方向断面図である。
【図２】実施の形態１による回転電機のステータを軸方向から見た平面図である。
【図３】実施の形態１による分割コアの分割面を示す斜視図である。
【図４】実施の形態２による分割コアの分割面を示す斜視図である。
【図５】実施の形態３による分割コアの分割面のー方を示す斜視図である。
【図６】実施の形態３による分割コアの分割面のもうー方を示す斜視図である。
【図７】実施の形態４による分割コアの分割面のー方を示す斜視図である。
【図８】実施の形態４による分割コアの分割面のもうー方を示す斜視図である。
【図９】図２のＸ-Ｘ断面を表す図であって、実施の形態５によるステータコアと外周フレームの当接圧力を示す断面図である。
【図１０】実施の形態５による外周フレームの形状を説明する断面図である。
【図１１】図２のＹ-Ｙ断面を表す図であって、実施の形態１の効果を示すための説明図である。
【発明を実施するための形態】
【０００９】
実施の形態１．
図１は、実施の形態１による回転電機を模式的に示した軸方向断面図である。図１において、回転電機１００はステータ１とステータの内周で回転軸６を中心として回転するロータ５を備えている。ステータ１はステータコア２と、ステータコア２に巻回されたコイル３と、ステータコア２を保持する円筒状の外周フレーム４を備えている。ステータコア２は軸方向に複数の鋼板を積層して構成される。
ロータ５は、回転軸６を中心として回転するように軸受７によって支持されている。なお、ロータ５に装着される磁石は図示されていない。
【００１０】
図２は、実施の形態１による回転電機１００のステータ１をロータ５の軸方向から見た図である。なお、ステータコア２に巻回されるコイルは図示していない。
ステータ１を構成するステータコア２は、複数の分割コア１０を円環状に組み合わせることで構成され、前記ステータコアは外周フレーム４に圧入または焼嵌めされている。分割コア１０は外周フレーム４から径方向に収縮するよう圧力を受け、前記圧力と釣合うように隣り合う分割コア同士が当接し周方向につっぱることで円環形状を保持する。
なお、図２では１個の分割コアに対して１本のティースを有するが、１個の分割コアが有するティースの数はこれに限らない。
【００１１】
図３は実施の形態１による回転電機における分割コア１０および分割コア同士の分割面を表す図である。分割コア１０は隣り合う分割コアと連結してヨークを構成するコアバック１１とコイルが巻回されるティース１２から構成され、外周フレーム４の円周方向と交差する方向に、隣り合うコアバック同士が当接する分割面１３を有する。
【００１２】
分割コア１０は、分割面１３おいてステータ１の軸方向に区分された３つの領域、すなわち、分割コア１０を環状に組み合わせた時にステータ１の軸方向の両端側（以下、単に軸方向両端側という）に位置する２つの端部領域１３Ａ,１３Ｃと、これらの端部領域１３Ａ,１３Ｃの間に位置する１つの中央部領域１３Ｂとを有し、端部領域１３Ａ,１３Ｃが中央部領域１３Ｂに比べて当接する隣の分割コアの方向にせり出す（突出する）ように形成されている。
【００１３】
この分割面せり出し構造により、複数個の分割コア１０を円環状に構成した際に、各分割コア１０は、軸方向両端側に位置する端部領域１３Ａ，１３Ｃが中央部領域１３Ｂよりも優先的に当接し、外周フレーム４に圧入または焼嵌めした際に、端部領域１３Ａ，１３Ｃの当接する圧力が中央部領域１３Ｂよりも大きくなるように設定される。
【００１４】
このような構成によれば、軸方向の曲げ剛性を従来の分割コアを備えた回転電機と比べて向上させることができ、振動・騒音量を一体型のステータコアに近づけることができる。これは、軸方向曲げ変形が生じた場合には曲げ中心から遠い位置である軸方向両端で優先的につっぱるためである。
さらに、分割コア同士の当接具合を故意に調整しない場合、分割コア同士の分割面においてどの位置が当たりどの位置で圧力が高くなるかは分割コアの公差ばらつきに依存するため、個体間で振動特性のばらつきが生じるという課題もあるが、本実施の形態によれば分割コアの公差ばらつきがあっても必ず軸方向両端側に位置する端部領域１３Ａ，１３Ｃが端部領域以外の中央部領域１３Ｂよりも優先的に接するため、個体間での振動特性のばらつきを抑制することができる。  
【００１５】
なお、端部領域１３Ａ，１３Ｃのせり出しは、長くするほど中央部領域１３Ｂよりも優先的に接するため、本実施の形態の効果を得やすくなる。しかし、せり出しが嵌合部の寸法公差を超えると端部領域１３Ａ，１３Ｃですべて接するようになり効果の向上が見込めない。さらに、中央部領域１３Ｂにエアギャップが生じることで磁気抵抗が増加する。すなわち、端部領域１３Ａ，１３Ｃのせり出しは嵌合部の寸法公差を超えない長さにすることが望ましく、10μm〜50μmとするのが良い。
【００１６】
図１１は、図２に示したステータ１のＹ−Ｙ断面において（Ａ）理想的な当接状態、（Ｂ）実施の形態１における当接状態、（Ｃ）従来の当接状態の一例を表すと共に、本実施の形態の効果を説明するため、図１１（Ａ）〜（Ｃ）の当接パターンにおけるステータの固有振動数を数値解析より求めた結果を示す図である。
即ち、図１１は、（Ａ）〜（Ｃ）の数値解析の結果から同じ軸方向曲げ変形モードの固有振動数を抽出し、（Ａ）の固有振動数に対して（Ｂ）および（Ｃ）の固有振動数がどの程度低下したかを示したもので、（Ｂ）（Ｃ）における固有振動数低下量はそれぞれ４２．８Ｈｚ、１２８．１Ｈｚである。これより、固有振動数の低下量は（Ｂ）＜（Ｃ）であり、本実施の形態のステータは従来のステータよりも振動・騒音量を一体型のステータコアに近づけることができることが分かる。
【００１７】
以上のように本実施の形態によれば、円筒状の外周フレーム４と、外周フレーム４の内径部に、円周方向と交差する方向に分割面１３を有する複数の分割コア１０を円環状に当接保持して構成されるステータコア２とで構成されるステータ１を備えた回転電機において、分割コア１０は、互いに当接する分割面において、軸方向両端側に位置する端部領域１３Ａ，１３Ｃと、端部領域の間に位置する中央部領域１３Ｂとを有し、端部領域１３Ａ，１３Ｃの当接圧力が、中央部領域１３Ｂの当接圧力よりも大きく設定されているので、分割コアで構成されるステータコアを用いても軸方向曲げに起因する回転電機の振動騒音およびその個体差を従来と比べて抑えることができる。
【００１８】
実施の形態２．
図４は、実施の形態２による回転電機における分割コアおよび分割コア同士の分割面を表す図である。分割コア１０は隣り合う分割コアと連結してヨークを構成するコアバック１１とコイルが巻回されるティース１２から構成され、隣り合うコアバック同士が当接する分割面１３を有する。
【００１９】
分割面１３は、ステータ１の軸方向に区分された５つの領域、すなわち、分割コア１０を環状に組み合わせた時に軸方向両端側に位置する２つの端部領域１３Ａ，１３Ｅと、これらの端部領域の間に位置する３つの中央部領域１３Ｂ，１３Ｃ，１３Ｄを有し、端部領域１３Ａ，１３Ｅは、中央部領域１３Ｂ，１３Ｃ，１３Ｄに比べて当接する隣の分割コアの方向にせり出すように形成されている。さらに、端部領域１３Ａ，１３Ｅの１つ隣に位置する中央部領域１３Ｂ，１３Ｄは、端部領域１３Ａ，１３Ｅの２つ隣に位置する中央部領域１３Ｃに比べて当接する隣の分割コアの方向にせり出すように形成されている。
【００２０】
この分割面せり出し構造により、複数個の分割コア１０を円環状に構成した際に、各分割コア１０は、軸方向両端側に位置する端部領域１３Ａ，１３が中央部領域１３Ｂ，１３Ｃ，１３Ｄよりも優先的に当接し、外周フレーム４に圧入または焼嵌めした際に、端部領域１３Ａ、１３Ｅの当接する圧力が中央部領域１３Ｂ，１３Ｃ，１３Ｄよりも高くなるように設定される。
【００２１】
このような構成によれば、実施の形態１と同様に、軸方向の曲げ剛性を従来の回転電機と比べて向上させることができ、振動・騒音量を一体型のステータコアに近づけることができるとともに、個体間での振動特性のばらつきも抑制することができる。
さらに、本実施の形態では、分割面１３が逆テーパー形状に構成されることにより、ステータコア２を外周フレーム４に圧入する場合に圧入力の大きな変動を抑えることができるため、ステータコア２および外周フレーム４の齧り、変形を抑えることができ、実施の形態１と比べて組付け性を向上させることができる。
なお、本実施の形態では、分割面１３は５つの領域から構成されているが、分割面１３が逆テーパー形状を構成することができれば、分割面１３を構成する領域の数はこれに限られるものではない。
【００２２】
実施の形態３．
図５は、実施の形態３による回転電機における分割コアおよび分割コア同士の分割面を表す図である。図６は図５に示した分割コアの分割面と反対側の分割面を示す図である。分割コア１０は隣り合う分割コアと連結してヨークを構成するコアバック１１とコイルが巻回されるティース１２から構成され、隣り合うコアバック同士が当接する一側面に分割面１３および他側面に分割面１４を有する。
【００２３】
分割面１３は、軸方向両端側に位置する２つの端部領域１３Ａ,１３Ｃと、これらの端部領域の間に位置する１つの中央部領域１３Ｂとを有している。これら３つの領域はステータ１の径方向にさらに３分割され、分割面１３はステータ１の軸方向および径方向に区分された合計９つの領域１３Ａａ，１３Ａｂ，１３Ａｃ，１３Ｂａ，１３Ｂｂ，１３Ｂｃ，１３Ｃａ，１３Ｃｂ，１３Ｃｃから構成されており、ステータ１の径方向中央部（以下、単に径方向中央部という）に対応する中央部領域１３Ａｂ，１３Ｂｂ，１３Ｃｂは隣り合う分割コア１０の分割面１４と嵌め合いの関係となるよう凹形状となっている。
さらに、分割面１３において、分割コアを環状に組み合わせた時に軸方向両端側に位置する端部領域１３Ａ，１３Ｃは中央部領域１３Ｂに比べて当接する隣の分割コアの方向にせり出すように形成されている。
【００２４】
分割面１３と当接する分割面１４は、分割面１３と同様にステータ１の軸方向に区分された２つの端部領域１４Ａ,１４Ｃと、これらの端部領域の間に位置する中央部領域１４Ｂとを有している。これら３つの領域はステータ１の径方向にさらに３分割され、分割面１４はステータ１の軸方向および径方向に区分された合計９つの領域１４Ａａ，１４Ａｂ，１４Ａｃ，１４Ｂａ，１４Ｂｂ，１４Ｂｃ，１４Ｃａ，１４Ｃｂ，１４Ｃｃから構成されており、径方向中央部に対応する中央部領域１４Ａｂ，１４Ｂｂ，１４Ｃｂは隣り合う分割コア１０の分割面１３と嵌め合いの関係となるよう凸形状となっている。
さらに、分割面１４において、分割コア１０を環状に組み合わせた時にステータ１の軸方向両端側に位置する端部領域１４Ａ，１４Ｃは中央部領域１４Ｂに比べて当接する隣の分割コアの方向にせり出すように形成されている。
【００２５】
この分割面せり出し構造により、複数個の分割コア１０を円環状に構成した際に、各分割コア１０は、軸方向両端側に位置する端部領域１３Ａ，１３Ｃ，１４Ａ，１４Ｃが中央部領域１３Ｂ，１４Ｂよりも優先的に当接し、外周フレーム４に圧入または焼嵌めした際に、端部領域１３Ａ，１３Ｃ，１４Ａ，１４Ｃの当接する圧力が中央部領域１３Ｂ，１４Ｂよりも高くなるように設定される。
【００２６】
このような構成によれば、実施の形態１，２と同様に、軸方向の曲げ剛性を従来の回転電機と比べて向上させることができ、振動・騒音量を一体型のステータコアに近づけることができるとともに、個体間での振動特性のばらつきも抑制することができる。
さらに、径方向中央部に対応する分割面１３の中央部領域１３Ａｂ，１３Ｂｂ，１３Ｃｂおよび径方向中央部に対応する分割面１４の中央部領域１４Ａｂ，１４Ｂｂ，１４Ｃｂは嵌め合いの関係となっているため、分割コアが径方向にずれることを防ぎ、ステータ１の内径真円度を高めることができる。
【００２７】
実施の形態４．
図７は、実施の形態４による回転電機における分割コアおよび分割コア同士の分割面を表す図である。図８は図７に示した分割コアの分割面と反対側の分割面を示す図である。分割コア１０は隣り合う分割コアと連結してヨークを構成するコアバック１１とコイルが巻回されるティース１２から構成され、隣り合うコアバック同士が当接する分割面１３および分割面１４を有する。
【００２８】
分割面１３はステータ１の軸方向両端側に位置する２つの端部領域１３Ａ,１３Ｃと、これらの端部領域の間に位置する１つの中央部領域１３Ｂとを有している。これら３つの領域はステータ１の径方向にさらに３分割され、分割面１３は合計９つの領域１３Ａａ，１３Ａｂ，１３Ａｃ，１３Ｂａ，１３Ｂｂ，１３Ｂｃ，１３Ｃａ，１３Ｃｂ，１３Ｃｃから構成されており、径方向中央部に対応する中央部領域１３Ａｂ，１３Ｂｂ，１３Ｃｂは隣り合う分割コアの分割面１４と嵌め合いの関係となるよう凹形状となっている。
さらに、分割面１３において、分割コアを環状に組み合わせた時にステータ１の軸方向両端に位置しかつ内径側に位置する内径側領域１３Ａａ、１３Ｃａを有し、これらの内径側領域１３Ａａ、１３Ｃａは他の領域１３Ａｂ，１３Ａｃ，１３Ｂａ，１３Ｂｂ，１３Ｂｃ，１３Ｃｂ，１３Ｃｃに比べて当接する隣の分割コアの方向にせり出すように形成されている。
【００２９】
分割面１３と当接する分割面１４は、分割面１３と同様にステータ１の軸方向に区分された２つの端部領域１４Ａ,１４Ｃとこれらの端部領域の間に位置する１つの中央部領域１４Ｂから構成されている。分割面１３と同様にステータ１の軸方向および径方向に区分された９つの領域１４Ａａ，１４Ａｂ，１４Ａｃ，１４Ｂａ，１４Ｂｂ，１４Ｂｃ，１４Ｃａ，１４Ｃｂ，１４Ｃｃから構成されており、径方向中央部に対応する中央部領域１４Ａｂ，１４Ｂｂ，１４Ｃｂは隣り合う分割コアの分割面１３と嵌め合いの関係となるよう凸形状となっている。
さらに、複数個の分割コア１０を円環状に構成した際に、各分割コア１０は、軸方向両端側に位置しかつ内径側に位置する内径側領域１４Ａａ，１４Ｃａが、他の領域１４Ａｂ，１４Ａｃ，１４Ｂａ，１４Ｂｂ，１４Ｂｃ，１４Ｃｂ，１４Ｃｃに比べて当接する隣の分割コア１０の方向にせり出すように形成されている。
【００３０】
この分割面せり出し構造により、複数個の分割コア１０を円環状に構成した際に、各分割コア１０は、軸方向両端側に位置しかつ内径側に位置する内径側領域１３Ａａ，１３Ｃａ，１４Ａａ，１４Ｃａが他の領域よりも優先的に当接し、外周フレーム４に圧入または焼嵌めした際に、内径側領域１３Ａａ，１３Ｃａ，１４Ａａ，１４Ｃａの当接圧力が他の領域よりも大きくなるように設定される。
【００３１】
このような構成によれば、実施の形態１〜３と同様に、軸方向の曲げ剛性を従来の回転電機と比べて向上させることができ、振動・騒音量を一体型のステータコアに近づけることができるとともに、個体間での振動特性のばらつきも抑制することができる。さらに、径方向中央部に対応する分割面１３の中央部領域１３Ａｂ，１３Ｂｂ，１３Ｃｂおよび径方向中央部に対応する分割面１４の中央部領域１４Ａｂ，１４Ｂｂ，１４Ｃｂは嵌め合いの関係となっているため、分割コアが径方向にずれることを防ぎ、ステータ１の内径真円度を高めることができる。
さらに、前記構成によれば、軸方向に曲げ変形するモードに加えて、円周方向を回転軸としてねじり変形する振動モードに対する剛性を従来の回転電機と比べて向上させることができ、実施の形態１〜３と比べて更に振動・騒音量を一体型のステータコアに近づけることができる。これは、円周方向を回転軸としたねじり変形が生じた場合には回転中心から遠い位置である軸方向両端かつ内周側の領域で優先的につっぱるためである。
【００３２】
実施の形態５.
図９は本実施の形態における、図２に示したステータ１のＸ-Ｘ断面を表す図である。図９において、ステータコア２が外周フレーム４の内周部に圧入または焼き嵌めによって保持されており、ステータコア２と外周フレーム４が当接する当接面１５にはステータ１の径方向に当接圧力Ｐ０が作用している。
【００３３】
図１０は本実施の形態において、ステータコア２と外周フレーム４が嵌合する様子を示す。外周フレーム４は、内周部に空隙１６を有し、この空隙１６は、ステータコア２が外周フレーム４に収められた場合にステータ１の軸方向中央に配置される。
従って、ステータ１を構成した状態、すなわち、図９における径方向当接圧力Ｐ０の分布は、軸方向両端部圧力（Ｐ０１、Ｐ０３）＞軸方向中央部圧力（Ｐ０２）となり、径方向当接圧力Ｐ０と釣り合うために、分割コア同士の分割面における軸方向両端部に位置する端部領域の当接圧力は、軸方向の中央部に位置する中央部領域の当接圧力よりも大きくなる。
【００３４】
空隙１６は、ステータ１を構成した状態、すなわち、図９の状態においては、径方向当接圧力Ｐ０によるステータコア２および外周フレーム４の弾性変形により失われることが望ましい。なぜなら、ステータ１を構成した状態で空隙１６が存在すると分割コア同士の分割面にエアギャップが生じ、磁気抵抗が増加するためである。
なお、本実施の形態では空隙１６を台形形状に構成しているが、空隙の形状はこれに限らない。
【００３５】
このような構成によれば、実施の形態１〜４と同様に、軸方向の曲げ剛性を従来の回転電機と比べて向上させることができ、振動・騒音量を一体型のステータコアに近づけることができるとともに、個体間での振動特性のばらつきも抑制することができる。
さらに、実施の形態１〜４においては、分割コア１０を構成する鋼板の種類は少なくとも２種類以上が必要であるが、前記構成によれば、１種類の鋼板から構成された分割コア１０を用いても同様の効果を得ることができるため、金型作成によるコストの増大、製造ラインの複雑化を防ぐことができる。
【００３６】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００３７】
１００  回転電機、  １  ステータ、２  ステータコア、３  コイル、４  外周フレーム、５  ロータ、６  回転軸、７  軸受、１０  分割コア、１１  コアバック、１２  ティース、１３  分割面、１３Ａ，１３Ｃ  端部領域、１３Ｂ  中央部領域、１３Ｅ  端部領域、１３Ｂ，１３Ｃ，１３Ｄ  中央部領域、１３Ａａ，１３Ａｂ，１３Ａｃ，１３Ｂａ，１３Ｂｂ，１３Ｂｃ，１３Ｃａ，１３Ｃｂ，１３Ｃｃ  領域、１３Ａａ、１３Ｃａ  内径側領域、１４  分割面、１４Ａ，１４Ｃ  端部領域、１４Ｂ  中央部領域、１４Ａａ，１４Ａｂ，１４Ａｃ，１４Ｂａ，１４Ｂｂ，１４Ｂｃ，１４Ｃａ，１４Ｃｂ，１４Ｃｃ  領域、１５  当接面、１６  空隙
【図１】
2019198164.tif 000003
【図２】
2019198164.tif 000004
【図３】
2019198164.tif 000005
【図４】
2019198164.tif 000006
【図５】
2019198164.tif 000007
【図６】
2019198164.tif 000008
【図７】
2019198164.tif 000009
【図８】
2019198164.tif 000010
【図９】
2019198164.tif 000011
【図１０】
2019198164.tif 000012
【図１１】
2019198164.tif 000013
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
円筒状の外周フレームと、前記外周フレームの内径部に、円周方向に対し交差する方向に分割面を有する複数の分割コアを円環状に当接保持して構成されるステータコアとで構成されるステータを備えた回転電機において、
前記分割コアは、互いに当接する前記分割面において、前記ステータの軸方向両端側に位置する端部領域と、前記端部領域の間の前記ステータの軸方向中央部に位置する中央部領域を有し、
前記分割面における前記端部領域が前記中央部領域よりも隣り合う分割コアの方向にせり出す分割面せり出し構造を備え、前記端部領域の当接圧力が前記中央部領域の当接圧力よりも大きく設定されていることを特徴とする回転電機。
【請求項２】
前記分割コアは、前記中央部領域において前記端部領域に近い領域ほど隣り合う分割コアの方向へのせり出しが大きいことを特徴とする請求項１に記載の回転電機。
【請求項３】
前記分割コアは、前記ステータの径方向中央部に対応する中央部領域に対応する部分に互いに嵌合関係にある凹部と凸部を有することを特徴とする請求項１または２に記載の回転電機。
【請求項４】
前記分割コアは、前記端部領域において、前記ステータの内径側に位置する内径側領域を有し、前記内径側領域における接触圧力が、他の領域の接触圧力よりも大きく設定されていることを特徴とする請求項１から請求項３のいずれか一項に記載の回転電機。
【請求項５】
前記分割コアは、前記ステータコアと前記外周フレームが当接する当接面において、前記端部領域の径方向当接圧力が、前記中央部領域の径方向当接圧力よりも大きく設定されていることを特徴とする請求項１から請求項４のいずれか一項に記載の回転電機。
【手続補正２】
【補正対象書類名】明細書
【補正対象項目名】０００６
【補正方法】変更
【補正の内容】
【０００６】
本願に開示される回転電機は、円筒状の外周フレームと、前記外周フレームの内径部に、円周方向に対し交差する方向に分割面を有する複数の分割コアを円環状に当接保持して構成されるステータコアとで構成されるステータを備えた回転電機において、
前記分割コアは、互いに当接する前記分割面において、前記ステータの軸方向両端側に位置する端部領域と、前記端部領域の間の前記ステータの軸方向中央部に位置する中央部領域とを有し、前記分割面における前記端部領域が前記中央部領域よりも隣り合う分割コアの方向にせり出す分割面せり出し構造を備え、前記端部領域の当接圧力が前記中央部領域の当接圧力よりも大きく設定されている。